(57)【要約】【課題】複数のエレベータで運用される制御用情報の送受信作業における利便性を向上させる。【解決手段】エレベータ保守管理装置３とエレベータ制御装置１とが接続された状態で保守管理装置３の領域選択スイッチ３８が操作されると、制御部３１は、領域選択スイッチ３８の操作回数にしたがって領域表示灯３５，３６，３７のいずれかを点灯させる。エレベータ制御装置１に対する入力操作により、保守管理装置３からエレベータ制御装置１への転送対象の運転制御プログラムの転送処理が開始されると、保守管理装置３の制御部３１は、内部メモリ３２，３３，３４のうち点灯済みの領域表示灯に対応するメモリに記憶される転送対象の運転制御プログラムをエレベータ制御装置１へ送信する。エレベータ制御装置１は、運転制御プログラムを受信すると、これを内部メモリ１２に格納する。【選択図】      図１
2008156050.tif 000002
【特許請求の範囲】
【請求項１】
記憶領域を複数有する記憶装置と、
情報処理装置からエレベータの制御用情報を受信する受信手段と、
前記受信手段により前記情報処理装置から受信した制御用情報を前記記憶装置のいずれかの記憶領域に記憶する記憶制御手段と、
前記記憶制御手段により前記制御用情報が記憶された前記記憶装置の記憶領域のうちエレベータ制御装置へ送信する制御用情報が記憶される領域を選択する選択手段と、
前記選択手段により選択した記憶領域に記憶される制御用情報を前記エレベータ制御装置へ送信する送信手段と
を備えたことを特徴とするエレベータの保守装置。
【請求項２】
記憶領域を複数有する記憶装置と、
エレベータ制御装置からエレベータの制御用情報を受信する受信手段と、
前記受信手段により前記エレベータ制御装置から受信した制御用情報を前記記憶装置のいずれかの記憶領域に記憶する記憶制御手段と、
前記記憶制御手段により前記制御用情報が記憶された前記記憶装置の記憶領域のうち情報処理装置へ送信する制御用情報が記憶される領域を選択する選択手段と、
前記選択手段により選択した記憶領域に記憶される制御用情報を前記情報処理装置へ送信する送信手段と
を備えたことを特徴とするエレベータの保守装置。
【請求項３】
前記選択手段は、前記記憶装置が有する記憶領域のうち、消去対象の制御用情報が記憶される領域を選択し、
前記選択手段により選択した記憶領域に記憶される制御用情報を消去する消去手段をさらに備えた
ことを特徴とする請求項１に記載のエレベータの保守装置。
【請求項４】
前記記憶装置の記憶領域に記憶される制御用情報はプログラムおよびデータのいずれかであり、
前記選択手段により選択した記憶領域に記憶される制御用情報の消去を指示する指示手段をさらに備え、
前記消去手段は、前記選択手段により選択した記憶領域に記憶される制御用情報がデータである場合には、前記指示手段による指示にしたがってデータを消去し、前記選択手段により選択した記憶領域に記憶される制御用情報がプログラムである場合には、前記指示手段による指示を無効とする
ことを特徴とする請求項３に記載のエレベータの保守装置。
【請求項５】
前記選択手段は、前記記憶装置が有する記憶領域のうち、仕様変更対象の制御用情報が記憶される領域を選択し、
前記選択手段により選択した記憶領域に記憶される制御用情報の仕様を変更する仕様変更手段をさらに備えた
ことを特徴とする請求項１に記載のエレベータの保守装置。
【請求項６】
情報処理装置からエレベータの制御用情報を受信する受信ステップと、
この受信した制御用情報を、記憶領域を複数有する記憶装置のいずれかの記憶領域に記憶する記憶制御ステップと、
前記記憶制御ステップにより前記制御用情報が記憶された前記記憶装置の記憶領域のうちエレベータ制御装置へ送信する制御用情報が記憶される領域を選択する選択ステップと、
前記選択ステップにより選択した記憶領域に記憶される制御用情報を前記エレベータ制御装置へ送信する送信ステップと
を有することを特徴とするエレベータの保守方法。
【発明の詳細な説明】
【技術分野】
【０００１】
本発明は、エレベータの運転制御プログラムなどの制御用情報を取り扱うエレベータの保守装置および保守方法に関する。
【背景技術】
【０００２】
従来のエレベータ保守システムの構成例を図８に示す。このシステムは、情報処理装置６１、メモリカード６２およびエレベータ制御装置６３を有する。  
情報処理装置６１は、エレベータ制御装置６３で運用するエレベータの運転制御プログラムおよび制御用データを図示しない内部メモリに記憶する。メモリカード６２は、持ち運び可能な不揮発性の記憶媒体である。情報処理装置６１は、メモリカード６２を装着可能であり、この状態で情報処理装置６１側での予め定められた入力操作を行なうことで、メモリカード６２の間で運転制御プログラムおよびデータの送受信を行なったり、メモリカード６２に記憶されるプログラムやデータを消去したりできる。
【０００３】
エレベータ制御装置６３は、エレベータ運転制御プログラムを実行するマイクロコンピュータ６４、内部メモリ６５およびインタフェース（Ｉ／Ｆ）部６６を備える。  
内部メモリ６５は、不揮発性の記憶装置であり、エレベータの運転制御プログラムおよびデータが記憶される。
【０００４】
インタフェース部６６は、メモリカード６２を接続可能であり、この接続した状態では、エレベータ制御装置６３側での予め定められた入力操作を行なうことでメモリカード６２および内部メモリ６５の間で運転制御プログラムおよびデータを送受信することができる。
【０００５】
また、エレベータ制御装置６３の内部メモリ６５に記憶されたデータをメモリカード６２に記憶した場合に、このメモリカード６２を情報処理装置６１に装着し、情報処理装置６１側での予め定められた入力操作を行なうことで、メモリカード６２に記憶されたデータを取得して、解析に用いることができる。  
また、情報処理装置とエレベータ制御装置の間で中継装置を介してプログラムやデータを送受信するシステムが、例えば特許文献１および特許文献２に開示される。
【特許文献１】特開平６−２１１４５４号公報
【特許文献２】特開平８−７３１４８号公報
【発明の開示】
【発明が解決しようとする課題】
【０００６】
このようなシステムにおいて、メモリカードに運転制御プログラムやデータが既に記憶されていると、これを消去しない限り、新たな運転制御プログラムやデータを記憶することはできない。
【０００７】
したがって、一度の保守点検作業で、複数のエレベータ設置現場でそれぞれ作業を行なう場合で、エレベータごとに運転制御プログラムの種別が異なる、または複数のエレベータのそれぞれから運転制御プログラムやデータを取得する場合には、メモリカードが多く必要となる。
【０００８】
また、情報処理装置とエレベータ制御装置の間で中継装置を介してプログラムやデータを送受信するシステムではメモリカードは用いない。しかし、中継装置に運転制御プログラムやデータが既に記憶されていると、これを消去しない限り新たな運転制御プログラムやデータを記憶することはできないので、複数のエレベータ設置現場でそれぞれ作業を行なう際にエレベータごとに運転制御プログラムの種別が異なる場合、または複数のエレベータのそれぞれから運転制御プログラムやデータを取得する場合には、種別ごとに中継装置を用意する必要がある。
【０００９】
そこで、本発明の目的は、複数のエレベータで運用される制御用情報の送受信作業における利便性を向上させることが可能になるエレベータ保守装置および保守方法を提供することにある。
【課題を解決するための手段】
【００１０】
すなわち、本発明に係わるエレベータ保守装置は、情報処理装置からエレベータの制御用情報を受信し、この受信した制御用情報を、記憶領域を複数有する記憶装置のいずれかの記憶領域に記憶し、記憶装置の記憶領域のうちエレベータ制御装置へ送信する制御用情報が記憶される領域を選択し、この選択した記憶領域に記憶される制御用情報を前記エレベータ制御装置へ送信する送信することを特徴とする。
【発明の効果】
【００１１】
本発明に係わるによれば、複数のエレベータで運用される制御用情報の送受信作業における利便性を向上させることができる。
【発明を実施するための最良の形態】
【００１２】
以下図面により本発明の実施形態について説明する。  
（第１の実施形態）
まず、本発明の第１の実施形態について説明する。  
図１は、本発明の実施形態にしたがったエレベータ保守システムの構成例を示すブロック図である。  
このシステムは、エレベータ制御装置１、パーソナルコンピュータ（ＰＣ）２、およびエレベータ保守管理装置３を有する。
【００１３】
パーソナルコンピュータ（ＰＣ）２は、エレベータの点検作業員が取り扱う情報処理装置である。エレベータ保守管理装置３は、エレベータ制御装置１とパーソナルコンピュータ（ＰＣ）２との間の中継装置であって、点検作業員により携帯可能な装置である。
【００１４】
エレベータ制御装置１は、エレベータ運転制御プログラムを実行するマイクロコンピュータ１１、内部メモリ１２、インタフェース（Ｉ／Ｆ）部１３および入力装置１４を備える。
【００１５】
内部メモリ１２は、不揮発性の記憶装置であり、エレベータの制御用情報が記憶される。制御用情報とは、エレベータの運転制御プログラムおよび制御用データである。制御用データとは運転制御のためのパラメータなどの各種データである。
【００１６】
エレベータ保守管理装置３は、装置全体の処理動作を司る制御部３１、内部メモリ３２，３３，３４、ＰＣインタフェース部４４、制御装置インタフェース部４５およびインタフェース基板４８を備える。
【００１７】
内部メモリ３２，３３，３４は、不揮発性の記憶装置であり、エレベータの制御用情報が記憶される。つまり、エレベータ保守管理装置３は、制御用情報の記憶領域を複数有する。
【００１８】
インタフェース基板４８は、エレベータ制御装置１のインタフェース部１３に接続可能な基板である。また、インタフェース基板４８は、基板コネクタ４７を備える。制御装置インタフェース部４５は、第１ケーブル４６を介して基板コネクタ４７と接続される。  
また、接続されるインタフェース基板４８は、各種のエレベータのインタフェース部１３の規格に合わせて、異なる規格の基板と交換可能である。
【００１９】
ＰＣインタフェース部４４は、第２ケーブル４９を介してパーソナルコンピュータ２と接続される。第２ケーブル４９は例えばＵＳＢ（Universal Serial Bus）ケーブルである。
【００２０】
また、エレベータ保守管理装置３は、領域表示灯３５，３６，３７、領域選択スイッチ３８、消去スイッチ３９および切替スイッチ４０を備える。  
領域選択スイッチ３８は、内部メモリ３２，３３，３４のうち、処理対象の制御用情報の格納領域を選択するためのスイッチである。
【００２１】
領域表示灯３５，３６，３７は、内部メモリ３２，３３，３４のうち処理対象の制御用情報の格納領域として選択された領域を表示する。領域表示灯３５は内部メモリ３２が前述した格納領域として選択された際に点灯し、領域表示灯３６は内部メモリ３３が格納領域として選択された際に点灯し、領域表示灯３７は内部メモリ３４が格納領域として選択された際に点灯する。
【００２２】
初期状態では領域表示灯３５，３６，３７はいずれも消灯している。この状態で領域選択スイッチ３８を一度操作すると内部メモリ３２が格納領域として選択されたとして領域表示灯３５のみが点灯し、領域選択スイッチ３８をさらに一度操作すると内部メモリ３３が格納領域として選択されたとして領域表示灯３６のみが点灯し、領域選択スイッチ３８をさらに一度操作すると内部メモリ３４が格納領域として選択されたとして領域表示灯３７のみが点灯する。この状態で領域選択スイッチ３８をさらに操作すると格納領域の選択が解除されたとして領域表示灯３５，３６，３７が全て消灯する。
【００２３】
消去スイッチ３９は、内部メモリ３２，３３，３４のいずれかに格納された制御用情報を消去するためのスイッチである。  
切替スイッチ４０は、エレベータ制御装置１が対応する制御用情報の仕様（フォーマット）にあわせて、内部メモリ３２，３３，３４のいずれかに格納された制御用情報の仕様を切り替える。  
また、エレベータ保守管理装置３は、ＰＣアクセス灯４１、インタフェース表示灯４２、制御装置アクセス灯４３、バッテリ５０および情報表示灯５１をさらに備える。
【００２４】
ＰＣアクセス灯４１は、ＰＣインタフェース部４４がパーソナルコンピュータ２に接続された場合に点灯する。インタフェース表示灯４２は、内部メモリ３２，３３，３４に記憶される制御用情報の仕様の変更処理中に点灯する。制御装置アクセス灯４３は、制御装置インタフェース部４５に接続されたインタフェース基板４８がエレベータ制御装置１に接続された場合に点灯する。
【００２５】
また、バッテリ５０は、ＰＣインタフェース部４４がパーソナルコンピュータ２に接続されていない場合、または制御装置インタフェース部４５に接続されたインタフェース基板４８がエレベータ制御装置１に接続されていない場合にエレベータ保守管理装置３の各部へ電源を供給する。
【００２６】
情報表示灯５１は、領域選択スイッチ３８の操作により選択された格納領域に対応する内部メモリに記憶される制御用情報の形式を文字形式で表示する。この情報は当該制御用情報に予め含まれる。
【００２７】
例えば、領域選択スイッチ３８により選択された格納領域である内部メモリ３２に記憶される制御用情報の形式が「プログラムＡ」であった場合には、情報表示灯５１に「プログラムＡ」と表示される。領域選択スイッチ３８により選択された格納領域である内部メモリ３２に制御用情報が記憶されていない場合には情報表示灯５１に「空き領域」と表示される。
【００２８】
次に、図１に示した構成のエレベータ保守システムの各種動作について説明する。  
まず、第１の処理として、パーソナルコンピュータ２からエレベータ保守管理装置３への制御用情報の転送処理について説明する。以後、処理対象の情報はエレベータ運転制御プログラムであるとして説明するが、制御用データであってもよい。図２は、本発明の実施形態にしたがったエレベータ保守システムのパーソナルコンピュータから保守管理装置への転送処理の一例を示すフローチャートである。
【００２９】
ここでは、パーソナルコンピュータ２の図示しない記憶装置に転送対象の運転制御プログラムが予め記憶されており、エレベータ保守管理装置３の内部メモリ３２，３３，３４のいずれにも運転制御プログラムが記憶されていないとする。
【００３０】
まず、エレベータ保守管理装置３のＰＣインタフェース部４４が第２ケーブル４９を介してパーソナルコンピュータ２の図示しない端子と接続されると、電源がパーソナルコンピュータ２からエレベータ保守管理装置３の各部に供給される（ステップＳ１）。
【００３１】
すると、エレベータ保守管理装置３の制御部３１はＰＣアクセス灯４１を点灯させる（ステップＳ２）。これによりエレベータ保守管理装置３とパーソナルコンピュータ２との接続が完了する。
【００３２】
次に、点検作業員がエレベータ保守管理装置３の領域選択スイッチ３８を操作すると（ステップＳ３）、制御部３１は、領域選択スイッチ３８の操作回数にしたがって領域表示灯３５，３６，３７のいずれかを点灯させる（ステップＳ４）。
【００３３】
制御部３１は、領域表示灯３５を点灯させた際は、転送対象の運転制御プログラムの格納領域が内部メモリ３２であると判別し、領域表示灯３６を点灯させた際は、転送対象の運転制御プログラムの格納領域が内部メモリ３３であると判別し、領域表示灯３７を点灯させた際は、転送対象の運転制御プログラムの格納領域が内部メモリ３４であると判別する。  
これにより、内部メモリ３２，３３，３４のうち転送対象の運転制御プログラムの格納領域が決定される。
【００３４】
そして、パーソナルコンピュータ２に対する予め定められた入力操作により、転送対象の運転制御プログラムが指定されて、パーソナルコンピュータ２からエレベータ保守管理装置３への転送対象の運転制御プログラムの転送処理が開始されると（ステップＳ５）、パーソナルコンピュータ２の図示しない記憶装置に記憶される転送対象の運転制御プログラムが、第２ケーブル４９を介してエレベータ保守管理装置３へ送信される（ステップＳ６）。この送信中は、制御部３１は、ＰＣアクセス灯４１を点滅させる。
【００３５】
この送信された情報をエレベータ保守管理装置３のＰＣインタフェース部４４が受信すると（ステップＳ７）、制御部３１は、この受信した運転制御プログラムを内部メモリ３２，３３，３４のうち、前述したように判別した格納領域に対応するメモリ、つまり点灯済みの領域表示灯に対応するメモリに格納する（ステップＳ８）。ただし、前述したように判別した格納領域に対応するメモリに既に運転制御プログラムが記憶されている場合には、制御部３１は、受信済みの運転制御プログラムの格納を行なわず、転送不可を示すエラーメッセージを情報表示灯５１に表示させる。  
これにより、パーソナルコンピュータ２に記憶される運転制御プログラムをエレベータ保守管理装置３の内部メモリ３２，３３，３４のいずれかに転送することができる。
【００３６】
さらに運転制御プログラムをさらに転送したい場合には、点検作業員がエレベータ保守管理装置３の領域選択スイッチ３８を再度操作して転送対象の運転制御プログラムの転送先を切り替えた上で、パーソナルコンピュータ２に対する前述した入力操作によりパーソナルコンピュータ２からエレベータ保守管理装置３への転送対象の運転制御プログラムの転送処理を開始させればよい。
【００３７】
次に、第２の処理として、エレベータ保守管理装置３からパーソナルコンピュータ２への運転制御プログラムの転送処理について説明する。図３は、本発明の実施形態にしたがったエレベータ保守システムのエレベータ保守管理装置からパーソナルコンピュータへの転送処理の一例を示すフローチャートである。
【００３８】
ここでは、エレベータ保守管理装置３の内部メモリ３２，３３，３４のいずれにも運転制御プログラムが記憶されているとする。  
まず、エレベータ保守管理装置３のＰＣインタフェース部４４が第２ケーブル４９を介してパーソナルコンピュータ２の図示しない端子と接続されると、電源がパーソナルコンピュータ２からエレベータ保守管理装置３の各部に供給される（ステップＳ１１）。
【００３９】
すると、エレベータ保守管理装置３の制御部３１はＰＣアクセス灯４１を点灯させる（ステップＳ１２）。これによりエレベータ保守管理装置３とパーソナルコンピュータ２との接続が完了する。
【００４０】
次に、点検作業員がエレベータ保守管理装置３の領域選択スイッチ３８を操作すると（ステップＳ１３）、制御部３１は、領域選択スイッチ３８の操作回数にしたがって領域表示灯３５，３６，３７のいずれかを点灯させる（ステップＳ１４）。  
これにより、内部メモリ３２，３３，３４のうち転送対象の運転制御プログラムの格納領域が決定される。
【００４１】
そして、パーソナルコンピュータ２に対する予め定められた入力操作により、転送対象の運転制御プログラムが指定されて、エレベータ保守管理装置３からパーソナルコンピュータ２への転送対象の運転制御プログラムの転送処理が開始されると（ステップＳ１５）、これを示す制御信号が第２ケーブル４９を介してエレベータ保守管理装置３へ送信される。
【００４２】
この送信された情報をエレベータ保守管理装置３のＰＣインタフェース部４４が受信すると制御部３１は、内部メモリ３２，３３，３４のうち、前述したように判別した格納領域に対応するメモリ、つまり点灯済みの領域表示灯に対応するメモリに記憶される転送対象の運転制御プログラムを、第２ケーブル４９を介してパーソナルコンピュータ２へ送信する（ステップＳ１６）。この送信中は、制御部３１は、ＰＣアクセス灯４１を点滅させる。
【００４３】
この送信された情報をパーソナルコンピュータ２の図示しないインタフェース部が受信すると（ステップＳ１７）、パーソナルコンピュータ２は、この受信した運転制御プログラムを記憶装置に格納する（ステップＳ１８）。  
これにより、エレベータ保守管理装置３の内部メモリ３２，３３，３４のいずれかに記憶される運転制御プログラムをパーソナルコンピュータ２に転送することができる。
【００４４】
さらに運転制御プログラムをさらに転送したい場合には、点検作業員がエレベータ保守管理装置３の領域選択スイッチ３８を再度操作して転送対象の運転制御プログラムの転送元を切り替えた上で、パーソナルコンピュータ２に対する前述した入力操作によりエレベータ保守管理装置３からパーソナルコンピュータ２への転送対象の運転制御プログラムの転送処理を開始させればよい。
【００４５】
次に、第３の処理としてエレベータ保守管理装置３からエレベータ制御装置１への運転制御プログラムの転送処理について説明する。図４は、本発明の実施形態にしたがったエレベータ保守システムのエレベータ保守管理装置からエレベータ制御装置への転送処理の一例を示すフローチャートである。
【００４６】
ここでは、エレベータ保守管理装置３の内部メモリ３２，３３，３４のいずれにも運転制御プログラムが記憶されているとする。  
まず、エレベータ保守管理装置３の制御装置インタフェース部４５に接続されるインタフェース基板４８がエレベータ制御装置１のインタフェース部１３と接続されると、電源がエレベータ制御装置１からエレベータ保守管理装置３の各部に供給される（ステップＳ２１）。
【００４７】
すると、エレベータ保守管理装置３の制御部３１は制御装置アクセス灯４３を点灯させる（ステップＳ２２）。これによりエレベータ保守管理装置３とエレベータ制御装置１との接続が完了する。
【００４８】
次に、点検作業員がエレベータ保守管理装置３の領域選択スイッチ３８を操作すると（ステップＳ２３）、制御部３１は、領域選択スイッチ３８の操作回数にしたがって領域表示灯３５，３６，３７のいずれかを点灯させる（ステップＳ２４）。  
これにより、内部メモリ３２，３３，３４のうち転送対象の運転制御プログラムの格納領域が決定される。
【００４９】
そして、エレベータ制御装置１の入力装置１４に対する予め定められた入力操作により、エレベータ保守管理装置３からエレベータ制御装置１への転送対象の運転制御プログラムの転送処理が開始されると（ステップＳ２５）、エレベータ制御装置１のマイクロコンピュータ１１は、これを示す制御信号をインタフェース部１３、インタフェース基板４８を介してエレベータ保守管理装置３へ送信する。
【００５０】
この送信された情報をエレベータ保守管理装置３の制御装置インタフェース部４５が受信すると制御部３１は、内部メモリ３２，３３，３４のうち、前述したように判別した格納領域に対応するメモリ、つまり点灯済みの領域表示灯に対応するメモリに記憶される転送対象の運転制御プログラムを、制御装置インタフェース部４５、第１ケーブル４６、インタフェース基板４８を介してエレベータ制御装置１へ送信する（ステップＳ２６）。この送信中は、制御部３１は、制御装置アクセス灯４３を点滅させる。
【００５１】
この送信された情報をエレベータ制御装置１のインタフェース部１３が受信すると（ステップＳ２７）、マイクロコンピュータ１１は、この受信した運転制御プログラムを内部メモリ１２に格納する（ステップＳ２８）。  
これにより、エレベータ保守管理装置３の内部メモリ３２，３３，３４のいずれかに記憶される運転制御プログラムをエレベータ制御装置１に転送することができる。
【００５２】
さらに運転制御プログラムをさらに転送したい場合には、点検作業員がエレベータ保守管理装置３の領域選択スイッチ３８を再度操作して転送対象の運転制御プログラムの転送元を切り替えた上で、エレベータ制御装置１に対する前述した入力操作によりエレベータ保守管理装置３からエレベータ制御装置１への転送対象の運転制御プログラムの転送処理を開始させればよい。
【００５３】
次に、第４の処理として、エレベータ制御装置１からエレベータ保守管理装置３への運転制御プログラムの転送処理について説明する。図５は、本発明の実施形態にしたがったエレベータ保守システムのエレベータ制御装置からエレベータ保守管理装置への転送処理の一例を示すフローチャートである。
【００５４】
ここでは、エレベータ制御装置１の内部メモリ１２に運転制御プログラムが記憶されており、エレベータ保守管理装置３の内部メモリ３２，３３，３４のいずれにも運転制御プログラムが記憶されているとする。
【００５５】
まず、エレベータ保守管理装置３の制御装置インタフェース部４５に接続されるインタフェース基板４８がエレベータ制御装置１のインタフェース部１３と接続されると、電源がエレベータ制御装置１からエレベータ保守管理装置３の各部に供給される（ステップＳ３１）。
【００５６】
すると、エレベータ保守管理装置３の制御部３１は制御装置アクセス灯４３を点灯させる（ステップＳ３２）。これによりエレベータ保守管理装置３とエレベータ制御装置１との接続が完了する。
【００５７】
次に、点検作業員がエレベータ保守管理装置３の領域選択スイッチ３８を操作すると（ステップＳ３３）、制御部３１は、領域選択スイッチ３８の操作回数にしたがって領域表示灯３５，３６，３７のいずれかを点灯させる（ステップＳ３４）。  
これにより、内部メモリ３２，３３，３４のうち転送対象の運転制御プログラムの格納領域が決定される。
【００５８】
そして、エレベータ制御装置１の入力装置１４に対する予め定められた入力操作により、エレベータ制御装置１からエレベータ保守管理装置３への転送対象の運転制御プログラムの転送処理が開始されると（ステップＳ３５）、マイクロコンピュータ１１は、内部メモリ１２に記憶される転送対象の運転制御プログラムをインタフェース部１３、インタフェース基板４８を介してエレベータ保守管理装置３へ送信する。（ステップＳ３６）。
【００５９】
この送信された情報をエレベータ保守管理装置３の制御装置インタフェース部４５が受信すると（ステップＳ３７）、制御部３１は、この受信中は制御装置アクセス灯４３を点滅させ、この受信した運転制御プログラムを内部メモリ３２，３３，３４のうち、前述したように判別した格納領域に対応するメモリ、つまり点灯済みの領域表示灯に対応するメモリに格納する（ステップＳ３８）。ただし、前述したように判別した格納領域に対応するメモリに既に運転制御プログラムが記憶されている場合には、制御部３１は、受信済みの運転制御プログラムの格納を行なわず、転送不可を示すエラーメッセージを情報表示灯５１に表示させる。  
これにより、エレベータ制御装置１に記憶される運転制御プログラムをエレベータ保守管理装置３の内部メモリ３２，３３，３４のいずれかに転送することができる。
【００６０】
さらに運転制御プログラムをさらに転送したい場合には、点検作業員がエレベータ保守管理装置３の領域選択スイッチ３８を再度操作して転送対象の運転制御プログラムの転送先を切り替えた上で、エレベータ制御装置１に対する前述した入力操作によりエレベータ制御装置１からエレベータ保守管理装置３への転送対象の運転制御プログラムの転送処理を開始させればよい。
【００６１】
次に、第５の処理として、エレベータ保守管理装置３に記憶される運転制御プログラムの消去処理について説明する。図６は、本発明の実施形態にしたがったエレベータ保守システムのエレベータ保守管理装置による消去処理の一例を示すフローチャートである。
【００６２】
ここでは、エレベータ保守管理装置３の内部メモリ３２，３３，３４のいずれにも運転制御プログラムが記憶されているとする。  
まず、エレベータ保守管理装置３の制御装置インタフェース部４５に接続されるインタフェース基板４８がエレベータ制御装置１のインタフェース部１３と接続されると、電源がエレベータ制御装置１からエレベータ保守管理装置３の各部に供給される（ステップＳ４１）。  
すると、エレベータ保守管理装置３の制御部３１は制御装置アクセス灯４３を点灯させる。これによりエレベータ保守管理装置３とエレベータ制御装置１との接続が完了する。
【００６３】
次に、点検作業員がエレベータ保守管理装置３の領域選択スイッチ３８を操作すると（ステップＳ４２）、制御部３１は、領域選択スイッチ３８の操作回数にしたがって領域表示灯３５，３６，３７のいずれかを点灯させる（ステップＳ４３）。  
これにより、内部メモリ３２，３３，３４のうち消去対象の運転制御プログラムの格納領域が決定される。
【００６４】
次に、点検作業員がエレベータ保守管理装置３の消去スイッチ３９を操作すると（ステップＳ４４）、制御部３１は、内部メモリ３２，３３，３４のうち、点灯済みの領域表示灯に対応するメモリに記憶される運転制御プログラムを消去する（ステップＳ４５）。
【００６５】
ここでは、消去処理は、エレベータ保守管理装置３をエレベータ制御装置１に接続して行なうと説明したが、この処理は、エレベータ保守管理装置３単体でも実行可能である。  
具体的には、エレベータ保守管理装置３をエレベータ制御装置１に接続しない状態で点検作業者が領域選択スイッチ３８を操作すると、バッテリ５０の電力がエレベータ保守管理装置３の各部に供給されるようになっているので、消去処理を行なうことができる。
【００６６】
この消去処理の変形例について説明する。この変形例では、消去対象の格納領域に記憶される制御用情報が制御用データである場合には、消去スイッチ３９を操作することで消去できるが、消去対象の格納領域に記憶される制御用情報が制御用データ以外、つまり運転制御プログラムである場合には、消去スイッチ３９を操作しても消去が無効となる。これにより、運転制御プログラムの誤消去を防ぐことができる。
【００６７】
次に、第６の処理として、エレベータ保守管理装置３に記憶される運転制御プログラムの仕様変更処理について説明する。図７は、本発明の実施形態にしたがったエレベータ保守システムのエレベータ保守管理装置による仕様変更処理の一例を示すフローチャートである。
【００６８】
運転制御プログラムの仕様は、エレベータ制御装置１の種別によって異なる。前述したようにエレベータ保守管理装置３に記憶される運転制御プログラムの仕様が、転送先のエレベータ制御装置１に適した仕様で無い場合には、当該運転制御プログラムの転送処理を行なえない。
【００６９】
そこで、エレベータ保守管理装置３に記憶される運転制御プログラムの仕様を転送先のエレベータ制御装置１に適した仕様に変更する処理を行なうことで、転送処理を行なえるようにする。
【００７０】
まず、エレベータ保守管理装置３の制御装置インタフェース部４５に接続されるインタフェース基板４８がエレベータ制御装置１のインタフェース部１３と接続されると、電源がエレベータ制御装置１からエレベータ保守管理装置３の各部に供給される（ステップＳ５１）。  
すると、エレベータ保守管理装置３の制御部３１は制御装置アクセス灯４３を点灯させる。これによりエレベータ保守管理装置３とエレベータ制御装置１との接続が完了する。
【００７１】
次に、点検作業員がエレベータ保守管理装置３の領域選択スイッチ３８を操作すると、制御部３１は、領域選択スイッチ３８の操作回数にしたがって領域表示灯３５，３６，３７のいずれかを点灯させる。  
これにより、内部メモリ３２，３３，３４のうち仕様変更対象の運転制御プログラムの格納領域が決定される。
【００７２】
次に、点検作業員がエレベータ保守管理装置３の切替スイッチ４０を操作すると（ステップＳ５２）、制御部３１は、内部メモリ３２，３３，３４のうち、点灯済みの領域表示灯に対応するメモリに記憶される運転制御プログラムを仕様変更対象の運転制御プログラムと判別し、インタフェース表示灯４２を点灯させ、この運転制御プログラムの識別情報を情報表示灯５１に表示させる（ステップＳ５３）。
【００７３】
エレベータ制御装置１の内部メモリ１２には、当該制御装置に適した運転制御プログラムの仕様を示す仕様情報が記憶される。制御部３１は、インタフェース表示灯４２を点灯させると、転送先のエレベータ制御装置１に適した仕様を示す仕様情報の送信要求を示す制御信号を制御信号インタフェース部４５、第１ケーブル４６、インタフェース基板４８を介してエレベータ制御装置１へ送信する。
【００７４】
この送信された制御信号をエレベータ制御装置１のインタフェース部１３が受信すると、マイクロコンピュータ１１は、内部メモリ１２に記憶される仕様情報をインタフェース部１３を介してエレベータ保守管理装置３へ送信する。
【００７５】
この送信された仕様情報をエレベータ保守管理装置３の制御装置インタフェース部４５が受信すると、制御部３１は、この仕様情報で示される、エレベータ制御装置１に適した運転制御プログラムの仕様を認識し、この仕様の識別情報を情報表示灯５１に表示させる（ステップＳ５４）。
【００７６】
そして、制御部３１は、内部メモリ３２，３３，３４のうち、点灯済みの領域表示灯に対応するメモリに記憶される運転制御プログラムの仕様を前述したように認識した仕様に変更し、インタフェース表示灯４２を消灯させる（ステップＳ５５）。
【００７７】
この処理を行なって、エレベータ保守管理装置３に記憶される運転制御プログラムの仕様を転送先のエレベータ制御装置１に適した仕様に変更されれば、前述したようなエレベータ保守管理装置３からエレベータ制御装置１への運転制御プログラムの転送処理が行なえるようになる。
【００７８】
以上説明したように、本発明の実施形態にしたがったエレベータ保守システムによれば、点検作業員による点検先の各種のエレベータ制御装置１で運用する制御用情報を点検作業員が携帯するエレベータ保守管理装置３に複数種類記憶しておくことができるので、装置や記憶媒体を複数持ち歩く必要なしに、点検先の複数種類のエレベータ制御装置１に制御用情報をそれぞれ転送できる。よって、メンテナンス作業の利便性が向上する。
【００７９】
また、エレベータ保守管理装置３とエレベータ制御装置１の接続形態は複数種類存在する記憶媒体の規格に左右されないので、この記憶媒体の規格が別の形式に変更されてもエレベータ制御装置１での部品交換をする必要なしに転送処理を行なうことができる。よって長期にわたってコストを抑えたメンテナンス作業が可能となる。
【００８０】
また、点検先の複数種類のエレベータ制御装置１から制御用情報をエレベータ保守管理装置３にそれぞれ転送すれば、複数種類のエレベータ制御装置１にそれぞれ記憶されている制御用情報を装置や記憶媒体を複数持ち歩く必要なしに点検作業員の事業所において解析することが可能になる。
【００８１】
また、エレベータ保守管理装置３のインタフェース基板４８は、エレベータ制御装置１のインタフェース部１３の規格に合わせて交換可能であるので、大がかりな部品交換の必要なしに、規格の異なる複数種類のエレベータ制御装置１とエレベータ保守管理装置３の間で制御用情報を転送することができる。
【００８２】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００８３】
【図１】本発明の実施形態にしたがったエレベータ保守システムの構成例を示すブロック図。
【図２】本発明の実施形態にしたがったエレベータ保守システムのパーソナルコンピュータから保守管理装置への転送処理の一例を示すフローチャート。
【図３】本発明の実施形態にしたがったエレベータ保守システムのエレベータ保守管理装置からパーソナルコンピュータへの転送処理の一例を示すフローチャート。
【図４】本発明の実施形態にしたがったエレベータ保守システムのエレベータ保守管理装置からエレベータ制御装置への転送処理の一例を示すフローチャート。
【図５】本発明の実施形態にしたがったエレベータ保守システムのエレベータ制御装置からエレベータ保守管理装置への転送処理の一例を示すフローチャート。
【図６】本発明の実施形態にしたがったエレベータ保守システムのエレベータ保守管理装置による消去処理の一例を示すフローチャート。
【図７】本発明の実施形態にしたがったエレベータ保守システムのエレベータ保守管理装置による仕様変更処理の一例を示すフローチャート。
【図８】従来のエレベータ保守システムの構成例を示すブロック図。
【符号の説明】
【００８４】
１，６３…エレベータ制御装置、２，６１…パーソナルコンピュータ（ＰＣ）、３…エレベータ保守管理装置、１１，６４…マイクロコンピュータ、１２，６５…内部メモリ、１３，６６…インタフェース（Ｉ／Ｆ）部、１４…入力装置、３１…制御部、３２，３３，３４…内部メモリ、３５，３６，３７…領域表示灯、３８…領域選択スイッチ、３９…消去スイッチ、４０…切替スイッチ、４１…ＰＣアクセス灯、４２…インタフェース表示灯、４３…制御装置アクセス灯、４４…ＰＣインタフェース部、４５…制御装置インタフェース、４６…第１接続ケーブル、４７…基板コネクタ、４８…インタフェース基板、４９…第２接続ケーブル、５０…バッテリ、５１…情報表示灯、６２…メモリカード。
【図１】
2008156050.tif 000003
【図２】
2008156050.tif 000004
【図３】
2008156050.tif 000005
【図４】
2008156050.tif 000006
【図５】
2008156050.tif 000007
【図６】
2008156050.tif 000008
【図７】
2008156050.tif 000009
【図８】
2008156050.tif 000010